(57)【要約】【課題】載置原稿と搬送原稿の読取面が同一平面上にない画像読取装置にあって搬送原稿読取り時と載置原稿読取り時とで同等な画質の読取画像を取得でき、かつ、読取ユニット移動方向で装置幅を抑え得るコンパクトな画像読取装置を提供する。【解決手段】第１読取ユニット３０１が、コンタクトガラス２０３を通して載置原稿の画像を読取り可能な第１移動領域Ｚ１とコンタクトガラス２０４を通して搬送原稿の画像を読取り可能な第２移動領域Ｚ２とに移動可能であるとともに、コンタクトガラス２０３を通して第１の原稿の画像を読み取るための第１読取姿勢とコンタクトガラス２０４を通して第２の原稿の画像を読み取るための第２読取姿勢とに姿勢変化可能であり、画像補正用の白基準板２１１は、第１読取ユニット３０１の第１移動領域Ｚ１と第２移動領域Ｚ２の間の特定区間Ｚ３内であってコンタクトガラス２０４に対し第１読取ユニット３０１側に配置されている。【選択図】図５
2014023133.tif 000002
【特許請求の範囲】
【請求項１】
第１の原稿に対面可能な第１読取面を有する第１透明部材と、
第２の原稿に対面可能で前記第１読取面に対し傾斜する第２読取面を有する第２透明部材と、
前記第１読取面および前記第２読取面の双方に対して平行な主走査方向に延びる走査領域を有し、該走査領域内で前記第１または第２透明部材を通して前記第１または第２の原稿の画像を読み取る読取ユニットと、
前記読取ユニットを前記主走査方向と交差する副走査方向に移動させる移動機構と、
前記主走査方向に延びる白基準面が形成された白基準部材を有し、前記読取ユニットによる該白基準面の読取り値に基づいて前記原稿の読取画像を補正する画像補正手段と、を備えた画像読取装置であって、
前記読取ユニットが、前記第１透明部材を通して前記第１の原稿の画像を読取り可能な第１移動領域と前記第２透明部材を通して前記第２の原稿の画像を読取り可能な第２移動領域とに移動可能であるとともに、前記第１透明部材を通して前記第１の原稿の画像を読み取るための第１読取姿勢と前記第２透明部材を通して前記第２の原稿の画像を読み取るための第２読取姿勢とに姿勢変化可能であり、
前記白基準部材は、前記読取ユニットの前記第１移動領域と前記第２移動領域の間の移動区間に対応する前記副走査方向の特定区間内であって前記第２透明部材に対し前記読取ユニット側に配置されていることを特徴とする画像読取装置。
【請求項２】
前記第１透明部材が、前記第１読取面上に前記第１の原稿を載置可能な原稿載置台を構成する一方、前記第２透明部材が、前記第２読取面により前記第２の原稿を前記第１読取面に対し傾斜する原稿搬送路に沿って案内する案内板を構成しており、
前記案内板が、前記副走査方向の前記特定区間内で前記第１読取面より鉛直方向上方側に位置する上端部を有するとともに、前記白基準部材の前記白基準面が、前記案内板の前記上端部の鉛直方向下方側に配置されていることを特徴とする請求項１に記載の画像読取装置。
【請求項３】
前記第１透明部材が、前記第１移動領域より前記副走査方向の前記特定区間側に延長された第１延長部を有する一方、前記第２透明部材が、前記第２移動領域より前記副走査方向の前記特定区間側に延長された第２延長部を有しており、
前記白基準部材が、前記副走査方向の前記特定区間内で前記第１延長部および前記第２延長部の間に配置されていることを特徴とする請求項１または２に記載の画像読取装置。
【請求項４】
前記白基準部材の前記白基準面が、前記第１延長部の前記第１読取面側の面上に配置されていることを特徴とする請求項３に記載の画像読取装置。
【請求項５】
前記移動機構は、前記第１移動領域内では前記読取ユニットを前記第１読取面に対して平行に移動させ、前記第２移動領域内では前記読取ユニットを前記第２読取面に対して平行に移動させ、さらに、前記副走査方向の前記特定区間内では、前記読取ユニットの姿勢を前記第１読取姿勢と前記第２読取姿勢との間で変化させることを特徴とする請求項１または２に記載の画像読取装置。
【請求項６】
前記主走査方向に延びる裏面側走査領域を有し、該裏面側走査領域内で前記第２の原稿の裏面側の画像を読み取る裏面側読取ユニットを含む自動原稿搬送機構をさらに備え、
前記画像補正手段は、前記第２透明部材から前記副走査方向の前記特定区間側に延長された前記案内板の前記上端部側に、前記主走査方向に延びる裏面側白基準面が形成された裏面側白基準部材を有し、前記裏面側読取ユニットによる該裏面側白基準面の読取り値に基づいて前記第２の原稿の裏面側の読取画像を補正することを特徴とする請求項２に記載の画像読取装置。
【請求項７】
前記白基準板と前記裏面側白基準板とが、前記副走査方向の前記特定区間内で鉛直方向の上下に位置していることを特徴とする請求項６に記載の画像読取装置。
【請求項８】
前記移動機構が、前記読取ユニットに装着されたスライダ部と、該スライダ部を前記第１読取面および前記第２読取面のそれぞれに対して平行に移動するよう案内する第１ガイド部および第２ガイド部と、前記副走査方向の前記特定区間内で前記読取ユニットの姿勢を変化させるよう前記第１ガイド部および前記第２ガイド部の間に設けられた第３ガイド部と、を含んで構成されていることを特徴とする請求項１または２に記載の画像読取装置。
【請求項９】
前記第１ガイド部が、前記第１読取面を一面とする前記第１透明部材の他面で構成されるとともに、前記第２ガイド部が、前記第２読取面を一面とする前記第２透明部材の他面で構成され、前記第３ガイド部が、前記第１移動領域より前記副走査方向の前記特定区間側に延長された前記第１透明部材の一部によって構成されており、
前記読取ユニットの前記スライダ部が前記第２透明部材の他面および前記第１透明部材の一部の双方に案内されつつ前記副走査方向に移動するとき、前記読取ユニットの姿勢が変化することを特徴とする請求項８に記載の画像読取装置。
【請求項１０】
請求項１ないし９のいずれか１項に記載の画像読取装置を備えたことを特徴とする画像形成装置。
【発明の詳細な説明】
【技術分野】
【０００１】
本発明は、画像読取装置および同装置を備えた画像形成装置に関し、特に原稿を自動搬送しつつその原稿の読取対象面の画像（以下、単に原稿の画像という）を読み取るモードと、コンタクトガラス上に載置された原稿の画像を読み取るモードとに切替え可能な原稿読取装置とそれを備えた画像形成装置に関する。
【背景技術】
【０００２】
従来、原稿を自動搬送しつつ原稿の画像を読み取る搬送原稿読取りモード（以下、ＤＦスキャナモードともいう）と、平坦なコンタクトガラス上に載せ置かれた原稿の画像を下方から読み取る載置原稿読取りモード（以下、フラットベッドスキャナモードともいう）とに切替え可能に構成された原稿読取装置が知られている。また、そのような原稿読取装置には、独立した画像読取装置として使用されるものと、ファクシミリや複写機あるいはプリンタとスキャナ機能を併有する複合機等の画像形成装置に装備されるものとがある。
【０００３】
このような原稿読取装置では、カード等の硬い原稿を読み取る場合、その原稿を極力まっすぐな姿勢で搬送する必要があるため、ＤＦスキャナモード用のコンタクトガラス（以下、ＤＦコンタクトガラスともいう）を、フラットベッドスキャナモード用のコンタクトガラス（以下、フラットベットガラスともいう）に対して或る傾斜角度をなすよう傾斜させる構成が多用されている。
【０００４】
従来のこの種の画像読取装置として、例えば、いわゆる１パス両面同時読取りを行うために、フラットベッドスキャナモード用の読取ユニットとは別に、自動原稿搬送装置側にＤＦスキャナモード用の読取ユニットを設けたものが知られている（例えば、特許文献１参照）。
【発明の概要】
【発明が解決しようとする課題】
【０００５】
しかしながら、上述のような従来の原稿読取装置および画像形成装置にあっては、フラットベッドスキャナ用の読取ユニットが副走査方向に移動するときに、常に一定方向（フラットベッドコンタクトガラスに対し読取ユニットの最適読取り可能な面（焦点面）が平行となる方向）を向く構成となっていた。
【０００６】
そのため、ＤＦスキャナ動作時には読取ユニットの読取光軸が原稿面と直交する基準方向に対して斜めになってしまい、読取ユニットの最適読取り可能な面がＤＦコンタクトガラスの原稿案内面に対して平行にならないため、焦点深度が狭いコンパクトな読取ユニットを採用する場合等に読取画像の画質が低下したりばらついたりしてしまうという問題が生じるばかりか、１パス両面同時読取りモードでの読取動作を行うために画像読取装置の横幅（読取ユニットの副走査方向における装置サイズ）が大きくなってしまうという問題があった。
【０００７】
具体的には、例えばＤＦコンタクトガラスの下面に設けたシェーディング補正用の白基準板をＤＦスキャナモードとフラットベッドスキャナモードとに共通で使用しようとすると、白基準板に対して読取ユニットの読取光軸が傾斜してしまうことになるため、正確なシェーディング補正ができなくなってしまう。さらに、読取ユニットの周辺部品の角度寸法のばらつきや読取ユニットのキャリッジ停止位置のばらつきにより、読取ユニットによる画像読取距離等も変動してしまう。
【０００８】
また、１パス両面同時読取り可能な画像読取装置とするために、フラットベッドスキャナモード用の読取ユニットの副走査方向におけるＤＦコンタクトガラスとフラットベッドコンタクトガラスとの間に、シェーディング用の白基準板を配置しようとすると、原稿搬送ユニット側に読取ユニットを持たない場合に比べて画像読取装置の横幅がかなり大きくなってしまう。
【０００９】
そこで、本発明は、載置原稿の読取面と搬送原稿の読取面とが同一平面上にない画像読取装置にあっても、その搬送原稿読取り時と載置原稿読取り時とで同等な画質の読取画像を得ることができ、しかも、読取ユニットの移動方向における装置幅を抑えたコンパクトな画像読取装置を提供することを目的とする。
【課題を解決するための手段】
【００１０】
（１）本発明に係る画像読取装置は、上記目的達成のため、第１の原稿に対面可能な第１読取面を有する第１透明部材と、第２の原稿に対面可能で前記第１読取面に対し傾斜する第２読取面を有する第２透明部材と、前記第１読取面および前記第２読取面の双方に対して平行な主走査方向に延びる走査領域を有し、該走査領域内で前記第１または第２透明部材を通して前記第１または第２の原稿の画像を読み取る読取ユニットと、前記読取ユニットを前記主走査方向と交差する副走査方向に移動させる移動機構と、前記主走査方向に延びる白基準面が形成された白基準部材を有し、前記読取ユニットによる該白基準面の読取り値に基づいて前記原稿の読取画像を補正する画像補正手段と、を備えた画像読取装置であって、前記読取ユニットが、前記第１透明部材を通して前記第１の原稿の画像を読取り可能な第１移動領域と前記第２透明部材を通して前記第２の原稿の画像を読取り可能な第２移動領域とに移動可能であるとともに、前記第１透明部材を通して前記第１の原稿の画像を読み取るための第１読取姿勢と前記第２透明部材を通して前記第２の原稿の画像を読み取るための第２読取姿勢とに姿勢変化可能であり、前記白基準部材は、前記読取ユニットの前記第１移動領域と前記第２移動領域の間の移動区間に対応する前記副走査方向の特定区間内に、前記第２透明部材に対し前記読取ユニット側に配置されていることを特徴とする。
【００１１】
この構成により、コンパクトな読取ユニットを採用する場合であっても、第１透明部材を通して第１の原稿の画像を読み取る読取ユニットを姿勢変化させることで、共通の白基準面を用いつつ、第２透明部材を通して第２の原稿の画像を読み取る読取ユニットにも兼用できる。したがって、第１の原稿の読取り時と第２の原稿の読取り時とで同等な画質の読取画像を得ることができるとともに、画像読取装置をコンパクト化できることになる。しかも、読取ユニットの第１移動領域と第２移動領域を近接させることが可能となるので、画像読取装置の副走査方向の幅を十分に短縮することができ、画像読取装置のコンパクト化による省スペース性向上を図ることができる。なお、白基準部材は、読取ユニットによる白基準面の読取りが可能な姿勢で配置されることは勿論である。また、第１の原稿と第１読取面との対面とは、平坦な第１読取面上に載置された原稿がその自重によって第１透明部材と上下に対面することに限らず、他の何らかの支持力や押圧力等の力の作用によって原稿が任意の方向（水平面方向以外を含む）の第１読取面上にセットされた状態で両者が対面する状態を含む意である。
【００１２】
（２）本発明の画像読取装置においては、好ましくは、前記第１透明部材が、前記第１読取面上に前記第１の原稿を載置可能な原稿載置台を構成する一方、前記第２透明部材が、前記第２読取面により前記第２の原稿を前記第１読取面に対し傾斜する原稿搬送路に沿って案内する案内板を構成しており、前記案内板が、前記副走査方向の前記特定区間内で前記第１読取面より鉛直方向上方側に位置する上端部を有するとともに、前記白基準部材の前記白基準面が、前記案内板の前記上端部の鉛直方向下方側に配置される。
【００１３】
この場合、透明部材を通した原稿読取条件と白基準板読取条件とを一致させるように白基準面を配置することができ、より正確なシェーディング補正等が可能となる。特に、第１透明部材である原稿載置台を第２透明部材である案内板の上端部の下方まで延長でき、白基準板の読取り時にもフラットベットスキャナ動作時と同様な条件での読取りが可能となることから、良好な画像補正が可能となる。
【００１４】
（３）本発明の画像読取装置においては、前記第１透明部材が、前記第１移動領域より前記副走査方向の前記特定区間側に延長された第１延長部を有する一方、前記第２透明部材が、前記第２移動領域より前記副走査方向の前記特定区間側に延長された第２延長部を有しており、前記白基準部材が、前記副走査方向の前記特定区間内で前記第１延長部および前記第２延長部の間に配置されているのが好ましい。
【００１５】
この構成により、読取ユニットの第１移動領域と第２移動領域を十分に近接させつつ、第１延長部および第２延長部の間に白基準部材を配置できるので、画像読取装置の横幅を十分に縮小可能となる。しかも、白基準板の読取り時に読取ユニットが第１透明部材側で案内可能となり、より良好な補正が可能となる。
【００１６】
（４）上記（３）の構成を有する画像読取装置においては、前記白基準部材の前記白基準面は、前記第１延長部の前記第１読取面側の面上に配置されていることがより好ましい。
【００１７】
この場合、原稿読取条件と白基準板読取条件とを容易に一致させることができる。例えばフラットベットガラスをＤＦコンタクトガラスの下まで延長し、その上面に白基準面を配置することができるので、白基準板の読取り時にも、読取ユニットの読取り条件をフラットベットスキャナ動作時と同条件にでき、より良好な補正が可能となる。
【００１８】
（５）本発明の画像読取装置においては、前記移動機構は、前記第１移動領域内では前記読取ユニットを前記第１読取面に対して平行に移動させ、前記第２移動領域内では前記読取ユニットを前記第２読取面に対して平行に移動させ、さらに、前記副走査方向の前記特定区間内では、前記読取ユニットの姿勢を前記第１読取姿勢と前記第２読取姿勢との間で変化させることが好ましい。
【００１９】
この場合、読取ユニットによる副走査方向の特定区間内での白基準面の読取りを第１読取姿勢または第２読取姿勢での画像読取り時と同条件にすることが容易になる。
【００２０】
（６）本発明の画像読取装置は、より好ましくは、前記主走査方向に延びる裏面側走査領域を有し、該裏面側走査領域内で前記第２の原稿の裏面側の画像を読み取る裏面側読取ユニットを含む自動原稿搬送機構をさらに備え、前記画像補正手段は、前記第２透明部材から前記副走査方向の前記特定区間側に延長された前記案内板の前記上端部側に、前記主走査方向に延びる裏面側白基準面が形成された裏面側白基準部材を有し、前記裏面側読取ユニットによる該裏面側白基準面の読取り値に基づいて前記第２の原稿の裏面側の読取画像を補正するものである。
【００２１】
この構成により、裏面側読取ユニットの読取画像に対しても良好なシェーディング補正等が可能となる。また、２つの白基準板をオーバーラップさせることで、画像読取装置の横幅の縮小によるコンパクト化が可能になる。
【００２２】
（７）上記（６）の構成を有する画像読取装置においては、前記白基準板と前記裏面側白基準板とが、前記副走査方向の前記特定区間内で鉛直方向の上下に位置していることがより好ましい。
【００２３】
この場合、読取装置側に設けられた読取ユニットと自動原稿搬送機構側に設けられた裏面側読取ユニットとの読取画像を共に良好に補正可能となり、しかも、これら２つの白基準板を上下になるようオーバーラップさせることで、画像読取装置の横幅の短縮による省スペース性の向上を図ることができる。
【００２４】
（８）本発明の画像読取装置においては、前記移動機構が、前記読取ユニットに装着されたスライダ部と、該スライダ部を前記第１読取面および前記第２読取面のそれぞれに対して平行に移動するよう案内する第１ガイド部および第２ガイド部と、前記副走査方向の前記特定区間内で前記読取ユニットの姿勢を変化させるよう前記第１ガイド部および前記第２ガイド部の間に設けられた第３ガイド部と、を含んで構成されているのが好ましい。
【００２５】
この構成により、移動機構を簡素に構成できるとともに、移動体となるスライダ付きの読取ユニットを軽量にできる。
【００２６】
（９）上記（８）の構成を有する画像読取装置においては、前記第１ガイド部が、前記第１読取面を一面とする前記第１透明部材の他面で構成されるとともに、前記第２ガイド部が、前記第２読取面を一面とする前記第２透明部材の他面で構成され、前記第３ガイド部が、前記第１移動領域より前記副走査方向の前記特定区間側に延長された前記第１透明部材の一部によって構成されており、前記読取ユニットの前記スライダ部が前記第２透明部材の他面および前記第１透明部材の一部の双方に案内されつつ前記副走査方向に移動するとき、前記読取ユニットの姿勢が変化することが好ましい。
【００２７】
この構成により、移動機構をより簡素に構成できるとともに、読取ユニットの第１移動領域と第２移動領域をより近接させることができ、画像読取装置のコンパクト化が可能となる。
【００２８】
（１０）本発明に係る画像形成装置は、上記目的達成のため、上記（１）〜（９）のいずれかの構成を有する画像読取装置を備えたことを特徴とする。
【００２９】
この画像形成装置では、第１の原稿の読取り時と第２の原稿の読取り時とで同等な画質の読取画像を得ることができるコンパクトな画像読取装置を備えるとともに、その読取ユニットの第１移動領域と第２移動領域を近接させることで画像読取装置の副走査方向の幅を短縮できるので、画像形成装置をコンパクト化でき、その省スペース性を向上できる。
【００３０】
なお、本発明にいう読取ユニットや裏面側読取ユニットは、密着型イメージセンサで構成されるか、または、レンズ、電荷結合素子（固体撮像素子）およびミラーを保持した一体型光学走査ユニットで構成されるものであるのが好ましい。また、本発明にいう画像読取装置が原稿搬送を主機能または重要機能とする自動原稿搬送装置であってもよく、画像読取機能と原稿搬送機能を併有する自動原稿搬送読取装置であってもよい。
【発明の効果】
【００３１】
本発明によれば、読取ユニットを移動および姿勢変化させることで、共通の白基準面を用いながら、読取面が相対的に傾斜する第１、第２の原稿の画像読取りを行うようにしているので、第１の原稿の読取り時と第２の原稿の読取り時とで同等な画質の読取画像を得ることができるコンパクトな画像読取装置を提供でき、それを用いたコンパクトな画像形成装置を提供できる。しかも、読取ユニットの第１移動領域と第２移動領域を近接させつつ、特定区間内に白基準面を配置できるので、画像読取装置やそれを用いた画像形成装置の走査方向の幅を十分に短縮でき、その装置の省スペース性を向上させることができる。
【図面の簡単な説明】
【００３２】
【図１】本発明の一実施形態に係る画像読取装置を備えたデジタル複合機の外観斜視図である。
【図２】本発明の一実施形態に係る画像読取装置におけるフラットベッドスキャナ部の外観斜視図である。
【図３】本発明の一実施形態に係る画像読取装置におけるフラットベッドスキャナ部のカバー開放状態を示す斜視図である。
【図４】本発明の一実施形態に係る画像読取装置の概略正面断面図である。
【図５】本発明の一実施形態に係る画像読取装置におけるＤＦスキャナ部の部分拡大断面図である。
【図６】本発明の一実施形態に係る画像読取装置における白基準板周辺の要部構成を示す部分拡大断面図である。
【図７】本発明の一実施形態に係る画像読取装置における読取ユニットの概略分解斜視図である。
【図８】比較例の画像読取装置における白基準板周辺の構成を示すその部分拡大断面図である。
【発明を実施するための形態】
【００３３】
以下、本発明の好ましい実施形態について、図面を参照しつつ説明する。
【００３４】
（一実施形態）
本実施形態の画像形成装置は、例えば電子写真方式の画像形成が可能なデジタルコピー機、プリンタ、ファクシミリおよびスキャナの機能を併有するデジタル複合機として構成されている。このデジタル複合機１００は、画像形成装置本体１０１と、画像読取装置部１０２と、原稿搬送装置部１０３とを含んで構成されている。
【００３５】
画像形成装置本体１０１は、その上方側に配置された画像読取装置部１０２により原稿の画像が読み取られるとき、その画像データを基に公知の電子写真方式の画像形成処理を実行し、読み取った画像を所定の記録用紙に記録（プリント）したり画像ファイルを転送出力したりすることができるようになっている。この画像形成装置本体１０１は、内蔵するコントローラ１１０によって画像読取装置部１０２および原稿搬送装置部１０３の作動を制御するとともに、例えば画像読取装置部１０２による読取り原稿画像に基づいて図示しない感光体ドラム上に静電潜像を形成し、その静電潜像をトナーにより現像して、所定の記録用紙にそのトナー像を転写および定着させて画像を記録できるようになっている。
【００３６】
画像読取装置部１０２は、画像読取装置の主要部であるフラットベッドスキャナの機能を有するとともに、原稿搬送装置部１０３と協働してＤＦスキャナの機能をも発揮するようになっている。
【００３７】
画像読取装置部１０２は、その上面側のフラットベッドコンタクトガラス２０３（図２参照）上に載置される原稿（例えば１枚のカットシート原稿や厚紙、その結束物、本等）の読取画像面に光を照射して、その原稿の画像面からの反射光を画像信号に変換することにより原稿の画像を読み取ることができる。
【００３８】
また、原稿搬送装置部１０３は、カットシートの原稿束から原稿を１枚ずつ分離して後述する原稿搬送路に沿って搬送し、その搬送途中の原稿の一部を画像読取装置部１０２の上面側のＤＦコンタクトガラス２０４に順次対面させることができるようになっている。すなわち、原稿搬送装置部１０３は、カットシート原稿を原稿搬送経路に沿って搬送する原稿搬送機能を有しており、その搬送原稿の画像をＤＦコンタクトガラス２０４上で読取り可能に搬送することで、画像読取装置部１０２にＤＦスキャナの機能を発揮させることができるようになっている。
【００３９】
この原稿搬送装置部１０３は、画像読取装置部１０２の上面側の後部（背面側の部分）に図示しないヒンジ等の開閉機構を介して取り付けられており、画像読取装置部１０２に対してフラットベッドコンタクトガラス２０３上に原稿セット空間を形成する開放位置と、フラットベッドコンタクトガラス２０３上に原稿を押付け可能な閉止位置とを採り得るようになっている。
【００４０】
そして、デジタル複合機１００は、原稿搬送装置部１０３により原稿を自動搬送しつつその原稿の読取対象面の画像を読み取るＤＦスキャナモード（搬送原稿読取りモード）と、画像読取装置部１０２上の所定位置に載せ置かれた原稿の画像を下方側から読み取るフラットベッドスキャナモード（載置原稿読取りモード）とに切替え可能になっている。
【００４１】
図２に示すように、画像読取装置部１０２は、スキャナカバー部２０１と、スキャナフレーム部２０２とを含んで構成されている。スキャナフレーム部２０２は、図３に示すように、その上方が開口した箱型形状をなしており、スキャナカバー部２０１は、スキャナフレーム部２０２の開口部を覆うようにして、スキャナフレーム部２０２に着脱可能に図示しないネジ等で固定されている。スキャナカバー部２０１には、フラットベッドコンタクトガラス２０３およびＤＦコンタクトガラス２０４が取り付けられている。
【００４２】
図３〜５に示すように、フラットベッドコンタクトガラス２０３は、第１読取面としての上面２０３ａを有する平坦な板状の第１透明部材であり、その上面２０３ａは、画像読取装置部１０２がフラットベッドスキャナとして機能する場合であって読取対象の原稿（以下、第１の原稿ともいう）が載置されるとき、その第１の原稿の画像面に対面することができるようになっている。また、ＤＦコンタクトガラス２０４は、第２読取面としての上面２０４ａを有する平坦な帯状の第２透明部材であり、その上面２０４ａは、画像読取装置部１０２がＤＦスキャナとして機能する場合であって後述する原稿搬送経路中の搬送原稿（第２の原稿）の画像面に対面することができるようになっている。
【００４３】
さらに、ＤＦコンタクトガラス２０４の上面２０４ａは、フラットベッドコンタクトガラス２０３の上面２０３ａに対して予め設定された傾斜角θ（図５参照）をなすよう傾斜しており、スキャナカバー部２０１には、ＤＦコンタクトガラス２０４の上面２０４ａと同一面を形成するように傾斜した傾斜ガイド面２０５（図２参照）が形成されている。
【００４４】
図３および図４に示すように、画像読取装置部１０２の内部には、第１読取ユニット３０１（読取ユニット）と、図４中の左右方向に延びるガイドロッド３０２とが設けられている。
【００４５】
第１読取ユニット３０１は、図示しない光源等の光照射手段を含んで構成されており、フラットベッドコンタクトガラス２０３を通してその上面２０３ａに対面する第１の原稿の画像面に光源からの光を照射し、あるいは、ＤＦコンタクトガラス２０４を通してその上面２０４ａに対面しつつ搬送される第２の原稿の画像面に光源からの光を照射することができるようになっている。また、第１読取ユニット３０１は、フラットベッドコンタクトガラス２０３上の原稿の画像面を主走査方向にライン走査しつつ読み取ることができ、あるいは、ＤＦコンタクトガラス２０４上を通過する搬送原稿の画像を主走査方向にライン走査しつつ読み取ることができるようになっている。ここにいう主走査方向は、フラットベッドコンタクトガラス２０３の上面２０３ａおよびＤＦコンタクトガラス２０４の上面２０４ａの双方に対して平行な方向である。
【００４６】
図５ないし図７に示すように、この第１読取ユニット３０１は、主走査方向に延びる走査領域３１１ｓを有しており、その走査領域３１１ｓ内でフラットベッドコンタクトガラス２０３またはＤＦコンタクトガラス２０４を通して載置原稿または搬送原稿の画像を読み取ることができる読取ユニットとなっている。
【００４７】
また、第１読取ユニット３０１は、その長手方向中央の下部でガイドロッド３０２によって副走査方向に移動自在に案内される一方、その副走査方向位置に応じて、長手方向両端側の上部でフラットベッドコンタクトガラス２０３およびＤＦコンタクトガラス２０４のうちいずれか片方または双方にスライド可能に当接している。これにより、第１読取ユニット３０１は、ガイドロッド３０２に沿って移動自在であるものの、ガイドロッド３０２の中心軸回りの傾きを規制され、フラットベッドコンタクトガラス２０３およびＤＦコンタクトガラス２０４の下面に沿って副走査方向に移動できるようになっている。
【００４８】
具体的には、第１読取ユニット３０１は、一体型光学走査ユニット３１１と、この一体型光学走査ユニット３１１を保持するブラケット３１２と、一体型光学走査ユニット３１１およびブラケット３１２の間に圧縮状態で組み込まれた複数の圧縮コイルばね３１３（弾性部材）とによって構成されている。
【００４９】
一体型光学走査ユニット３１１は、主走査方向を長手方向とする密着イメージセンサを保持し、あるいは、レンズ、ＣＣＤ（電荷結合素子）およびミラーを保持したもので、画像を主走査方向にライン走査することができるようになっている。
【００５０】
ブラケット３１２は、ガイドロッド３０２にスライド可能に支持された下側スライダ部３１２ａと、同一軸線上に位置するよう一体型光学走査ユニット３１１の両端面から垂直に突出する両端突出部３１１ａを長手方向軸線回りに姿勢変化可能におよび上下方向に変位可能に保持する垂直方向の長穴（小判穴）３１２ｃ付きの一対の保持腕部３１２ｂと、これら下側スライダ部３１２ａおよび一対の保持腕部３１２ｂを一体に装着したブラケット本体部３１２ｄとを有している。ここで、下側スライダ部３１２ａは、ブラケット本体部３１２ｄの長手方向中央の下部に固定された筒状体からなり、一対の保持腕部３１２ｂは、ブラケット本体部３１２ｄの両端側で図中上方側に突出する一対の板状体によって構成されている。
【００５１】
複数の圧縮コイルばね３１３は、一体型光学走査ユニット３１１の両端突出部３１１ａの中心軸線から等距離を隔てつつ、一体型光学走査ユニット３１１の下面部分を主走査方向の複数箇所で上方側（フラットベッドコンタクトガラス２０３側、ＤＦコンタクトガラス２０４側）に押し付けるようになっており、一対の保持腕部３１２ｂの長穴３１２ｃの中心を通る鉛直面に対し対称に配置されている。
【００５２】
また、一体型光学走査ユニット３１１の両端側の上部には、フラットベッドコンタクトガラス２０３およびＤＦコンタクトガラス２０４のうち少なくとも一方の下面に当接しつつ副走査方向に円滑に滑り動く一対の線状（紐状や棒状）、帯状または板状の上部スライダ部３１５が装着されており、これら上部スライダ部３１５は、それぞれ副走査方向の両側で一体型光学走査ユニット３１１の両側面３１１ｆより外側に突出しつつフラットベッドコンタクトガラス２０３およびＤＦコンタクトガラス２０４から徐々に離隔するよう両端部が下方側に湾曲している。
【００５３】
なお、上部スライダ部３１５は、互いに副走査方向に離間しつつフラットベッドコンタクトガラス２０３およびＤＦコンタクトガラス２０４側に突出する複数の半球状の突起等で構成されてもよいが、いずれも、フラットベッドコンタクトガラス２０３およびＤＦコンタクトガラス２０４の下面かそれに代わるガイド面に対し、低摩擦係数で摺動性・滑動性が良く、無潤滑にできる素材で形成されるのがよい。
【００５４】
図４に示すように、画像読取装置部１０２の内部には、無端のループ状でその周方向の一箇所に第１読取ユニット３０１のブラケット３１２が固定されたタイミングベルト３２１と、このタイミングベルト３２１が弛みなく掛け渡された複数のタイミングプーリ３２２（図１中には１つのみ図示している）と、いずれか１つのタイミングプーリ３２２を回転駆動するモータ等が設けられている。
【００５５】
これらタイミングベルト３２１、タイミングプーリ３２２およびモータ等は、第１読取ユニット３０１の一対の上部スライダ部３１５、フラットベッドコンタクトガラス２０３およびＤＦコンタクトガラス２０４と共に、第１読取ユニット３０１を主走査方向と直交（交差）する副走査方向に移動させる移動機構３２０を構成している。なお、この移動機構３２０は、ベルトを用いるものでなく、リードスクリュウやワイヤ、あるいは、歯車等を用いるものでもよい。
【００５６】
本実施形態の移動機構３２０は、第１読取ユニット３０１を副走査方向（図４中のＸ方向）に駆動することで、第１読取ユニット３０１を要求される読取位置に移動させる。この移動時には、一体型光学走査ユニット３１１の両端側の上部に装着された一対の上部スライダ部３１５がフラットベッドコンタクトガラス２０３またはＤＦコンタクトガラス２０４にがたつきなく押し付けられることで、一体型光学走査ユニット３１１の読取面である走査領域３１１ｓはフラットベッドコンタクトガラス２０３またはＤＦコンタクトガラス２０４に対して一定の距離を保つことができる。
【００５７】
ここで、フラットベッドコンタクトガラス２０３およびＤＦコンタクトガラス２０４は、第１読取ユニット３０１の一対の上部スライダ部３１５をフラットベッドコンタクトガラス２０３の上面２０３ａおよびＤＦコンタクトガラス２０４の上面２０４ａのそれぞれに対して平行に移動させるよう案内する第１ガイド部および第２ガイド部となっている。そして、移動機構３２０においては、第１ガイド部が、その上面２０３ａ（一面）を第１読取面とするフラットベッドコンタクトガラス２０３の下面（他面）で構成されるとともに、第２ガイド部が、その上面２０４ａ（一面）を第２読取面とするＤＦコンタクトガラス２０４の下面（他面）で構成されている。
【００５８】
なお、これら第１ガイド部および第２ガイド部は、フラットベッドコンタクトガラス２０３およびＤＦコンタクトガラス２０４以外の部材を含んで構成され得るし、フラットベッドコンタクトガラス２０３およびＤＦコンタクトガラス２０４以外の部材のみで構成することも考えられる。
【００５９】
移動機構３２０においては、さらに、副走査方向の特定区間Ｚ３内で第１読取ユニット３０１の姿勢を変化させるようフラットベッドコンタクトガラス２０３およびＤＦコンタクトガラス２０４の間に、第３ガイド部３２５が設けられている。
【００６０】
この第３ガイド部３２５は、第１移動領域Ｚ１より副走査方向の特定区間Ｚ３側に延長されたフラットベッドコンタクトガラス２０３の延長端部２０３ｂ（図６参照）と、フラットベッドコンタクトガラス２０３上にセットされる原稿の位置決め用突当て部である左スケール２０７の近傍で延長端部２０３ｂに連続するガイド面を形成するガイド面部２０８（スキャナカバー部２０１の一部）とによって構成されている。そして、第１読取ユニット３０１の上部スライダ部３１５がＤＦコンタクトガラス２０４の下面および第３ガイド部３２５（例えば、フラットベッドコンタクトガラス２０３の延長端部２０３ｂ）の下面の双方に案内されつつ副走査方向に移動するとき、第１読取ユニット３０１の姿勢が変化するようになっている。
【００６１】
フラットベットスキャナモードの読取動作を行う場合、移動機構３２０により駆動されることで、第１読取ユニット３０１は、ホームポジションから副走査方向一方側に移動しながら、例えば図６に実線で示す停止位置付近のホームポジションから同図中の右側に（あるいは、ホームポジションから最も離れた原稿端付近の折返し位置から同図中の左側に）移動する。そして、その微小移動距離毎に一体型光学走査ユニット３１１によるライン走査を実行して、フラットベッドコンタクトガラス２０３上の載置原稿の表面（下面）の画像を読み取る。また、その読取動作が終了すると、第１読取ユニット３０１は、再度ホームポジションに戻る。
【００６２】
ＤＦスキャナモードの読取動作を行う場合、移動機構３２０により駆動されることで、第１読取ユニット３０１は、図５に示すように、ホームポジションからＤＦコンタクトガラス２０４の下方に移動する。すなわち、第１読取ユニット３０１は、ホームポジションから予め設定された距離だけ副走査方向他方側に移動してＤＦコンタクトガラス２０４の下方で停止し、ＤＦコンタクトガラス２０４上を通過する搬送原稿の表面の画像を読み取る。
【００６３】
すなわち、第１読取ユニット３０１は、図４に示すように、フラットベッドコンタクトガラス２０３上の第１の原稿の画像をフラットベッドコンタクトガラス２０３を通して読取り可能な第１移動領域Ｚ１と、ＤＦコンタクトガラス２０４を通して第２の原稿の画像を読取り可能な第２移動領域Ｚ２とに移動可能であるとともに、その一体型光学走査ユニット３１１を、図６に示すようにフラットベッドコンタクトガラス２０３を通して第１の原稿の画像を読み取るための第１読取姿勢と、図５中に実線で示すようにＤＦコンタクトガラス２０４を通して第２の原稿の画像を読み取るための第２読取姿勢とに姿勢変化させることができる。
【００６４】
また、移動機構３２０は、タイミングベルト３２１によってブラケット３１２を駆動することで、第１移動領域Ｚ１内では第１読取ユニット３０１の第１読取ユニット３０１をフラットベッドコンタクトガラス２０３の上面２０３ａに対して平行に移動および停止させ、第２移動領域Ｚ２内では第１読取ユニット３０１の第１読取ユニット３０１をＤＦコンタクトガラス２０４の上面２０４ａに対して平行に移動および平行に停止させ、さらに、副走査方向の特定区間Ｚ３内では、第１読取ユニット３０１の第１読取ユニット３０１を、図６に示す第１読取姿勢と図５中に実線で示す第２読取姿勢との間で変化させることができる。
【００６５】
なお、図４ないし図６において、第１移動領域Ｚ１および第２移動領域Ｚ２は、それぞれ第１読取ユニット３０１の一体型光学走査ユニット３１１における走査領域３１１ｓの副走査方向の移動範囲として図示されており、第２移動領域Ｚ２は、一体型光学走査ユニット３１１が第２読取姿勢を採る狭い範囲に設定されている。
【００６６】
図４および図５は、画像読取装置部１０２および原稿搬送装置部１０３のＤＦスキャナ機能部付近の概略構成を示している。
【００６７】
両図に示すように、原稿搬送装置部１０３においては、読取り対象となる原稿やカードが原稿トレイ４０２上に積層状態であるいは単独でセットされ、画像形成装置本体１０１の正面上部に設けられた図示しない操作パネル部上で読取り開始の要求操作入力がなされるようになっている。そして、その読取り開始の要求操作入力がなされたとき、原稿トレイ４０２上の搬送原稿が公知の給紙ユニット４０３によって１枚ずつ分離・給紙されて、ＤＦコンタクトガラス２０４の近傍に搬送ローラ４０４，４０５、上下の搬送ガイド板４０６および上側ＤＦコンタクトガラス４０７を有する原稿搬送機構４０８によって、図４中の搬送方向Ｆに搬送される。
【００６８】
また、その搬送中の原稿の先端が図示しない先端検知センサで検知されると、その搬送原稿の所定の微小搬送距離毎に、表面（原稿トレイ４０２上で下向きの面）の画像がＤＦコンタクトガラス２０４を通して第１読取ユニット３０１により読み取られるとともに、その搬送原稿の裏面（原稿トレイ４０２上で上向きの面）側の画像が上側ＤＦコンタクトガラス４０７を通して第２読取ユニット４０１（裏面側読取ユニット）によって読み取られるようになっている。
【００６９】
なお、原稿搬送装置部１０３においては、読取り対象の搬送原稿が屈曲を許すようなもの（紙厚がそれほど大きくない原稿など）の場合には、反転搬送経路Ｂを通して図示しない排紙トレイ上に排紙されてスタックされる。一方、読取り対象の原稿が屈曲を許さないようなもの（カードや紙厚が大きい原稿など）の場合には、読取り対象の原稿をまっすぐに搬送する必要がある。その場合、折返しの無い搬送経路Ａを通して図示しない自動原稿搬送装置の側面に配置される排紙トレイにスタックされる。この排紙トレイは、例えば、開閉カバー１０６を開放されたときに形成される。ここでは、上繰り給紙（最上位の原稿からの順次給紙）であるため、反転経路Ｂに排紙された原稿はページ順が保たれるが、ストレートの搬送経路Ａに排紙された原稿はページ順が狂うことになる。下繰り給紙の場合は、逆になる。
【００７０】
ここで、フラットベットスキャナモード用のコンタクトガラスとＤＦスキャナモード用のコンタクトガラスのレイアウトについて説明する。
【００７１】
原稿搬送方向におけるＤＦコンタクトガラス２０４の上面２０４ａ（第２読取面）の前後には原稿を搬送するための搬送ローラ４０４，４０５が設けられるが、画像読取装置部１０２の上部に配置される原稿搬送装置部１０３がストレート搬送の構成を持つ場合、ＤＦコンタクトガラス２０４とフラットベッドコンタクトガラス２０３とが同一平面上にあると、搬送ローラ４０４とフラットベッドコンタクトガラス２０３とが干渉することになる。したがって、ストレート搬送の構成を持つ原稿搬送装置部１０３が上方に配置される場合、画像読取装置部１０２はフラットベッドコンタクトガラス２０３をＤＦコンタクトガラス２０４と同一平面上にレイアウトすることが困難であり、図４に示すように、ＤＦコンタクトガラス２０４がフラットベットのフラットベッドコンタクトガラス２０３に対してある傾斜角θをもってレイアウトされている。
【００７２】
また、フラットベッドコンタクトガラス２０３とＤＦコンタクトガラス２０４とが同一平面上にない場合に、読取ユニットの読取面が常に同一平面上に位置する構成を採ると、ＤＦスキャナ動作時に読取ユニットの読取り光軸に対し読取り対象の画像面がフラットベッドコンタクトガラス２０３とＤＦコンタクトガラス２０４との傾斜角度分だけ傾斜した角度を持つだけでなく、読取ユニットの読取面と原稿面までの距離を一定に保つのが難しくなる。そのため、この構成では、読取ユニットが密着型イメージセンサを用いる焦点距離の短いものである場合等に、ぼけた画像になってしまうことが懸念される。
【００７３】
読取ユニットがある程度の焦点深度幅を持っていればよいが、密着型イメージセンサのように焦点距離が短い読取方式で良好な画質のスキャナ動作を行うためには、コンタクトガラス面に対して読取ユニットの読取面が平行であって、かつ、適切な距離にあり、読取り光軸が読取り対象面に対して垂直であることが望ましい。
【００７４】
そこで、本実施形態においては、前述のように、移動機構３２０により第１読取ユニット３０１を駆動し、第１読取ユニット３０１の第１読取ユニット３０１をフラットベッドスキャナ動作時にはフラットベッドコンタクトガラス２０３にならい、ＤＦスキャナ動作時はＤＦコンタクトガラス２０４にならうように移動および姿勢変化させることで、その読取りの光軸を読取り対象画像に対して垂直に方向付け、画質の良好な画像読取りを実行させるようになっている。
【００７５】
一方、画像読取装置部１０２は、第１読取ユニット３０１によってフラットベッドスキャナ動作またはＤＦスキャナ動作といった画像読取の動作（画像面の走査）を行う前に、フラットベッドコンタクトガラス２０３の近傍部に取り付けられた白基準板２１１の下面を第１読取ユニット３０１により読み取るようになっている。
【００７６】
白基準板２１１は、その下面側に主走査方向に延びる白基準面２１１ａが形成された帯状のものであり、第１読取ユニット３０１の第１移動領域Ｚ１と第２移動領Ｚ２域の間の移動区間（図４参照）に対応する副走査方向の特定区間Ｚ３内であってＤＦコンタクトガラス２０４に対して第１読取ユニット３０１側に、この第１読取ユニット３０１による白基準面２１１ａの読取りが可能な姿勢で配置されている。白基準板２１１は、白基準面２１１ａがフラットベッドコンタクトガラス２０３の延長端部２０３ｂの上面から離れないような状態下で、スキャナカバー部２０１に例えば両面テープ等の粘着材で接着されている。そして、白基準面２１１ａは、フラットベット読取り時の原稿の読取画像面と同じ高さ位置になっている。
【００７７】
具体的には、フラットベッドコンタクトガラス２０３は、その上面２０３ａ上に第１の原稿を載置可能な原稿載置台を構成する一方、ＤＦコンタクトガラス２０４が、その上面２０４ａにより第２の原稿をフラットベッドコンタクトガラス２０３の上面２０３ａに対し図５中の反時計方向に傾斜する原稿搬送路Ｐｆに沿って案内する案内板を構成している。そして、その案内板としてのＤＦコンタクトガラス２０４は、副走査方向の特定区間Ｚ３内でフラットベッドコンタクトガラス２０３の上面２０３ａより鉛直方向上方側に位置する上端部２０４ｂを有しており、白基準板２１１の白基準面２１１ａは、ＤＦコンタクトガラス２０４の上端部２０４ｂの鉛直方向下方側に配置されている。
【００７８】
図６に示すように、フラットベッドコンタクトガラス２０３は、第１移動領域Ｚ１より副走査方向の特定区間Ｚ３側に延長された延長端部２０３ｂ（第１延長部）を有し、一方、ＤＦコンタクトガラス２０４は、第２移動領域Ｚ２より副走査方向の特定区間Ｚ３側に延長された上端部２０４ｂ（第２延長部）を有している。そして、白基準板２１１は、副走査方向の特定区間Ｚ３内で下方側のフラットベッドコンタクトガラス２０３の延長端部２０３ｂと上方側のＤＦコンタクトガラス２０４の上端部２０４ｂとの間に位置するよう上端支持部２０９の下面側に接着されており、白基準板２１１の白基準面２１１ａは、フラットベッドコンタクトガラス２０３の延長端部２０３ｂの上面２０３ａ側の延長面上に密着している。
【００７９】
画像形成装置本体１０１内のコントローラ１１０は、第１読取ユニット３０１による白基準面２１１ａの読取り画像データ（読取り値）に基づいて、例えば光源ムラやセンサ感度ムラ等の出力バラツキを補正するシェーディング補正等の補正処理を、画像形成装置本体１０１内のコントローラ１１０により実行して、読取出力画像や記録画像を環境や時間の変化にかかわらず一定の濃度で出力できるようになっている。すなわち、コントローラ１１０は、第１読取ユニット３０１による白基準面２１１ａの読取り値に基づいて第１の原稿の読取画像を補正する画像補正手段の機能を有している。
【００８０】
原稿搬送装置部１０３には、さらに、原稿搬送路Ｐｆ内の搬送原稿の裏面側の画像を上側ＤＦコンタクトガラス４０７を通して読み取る前述の第２読取ユニット４０１が設けられている。この第２読取ユニット４０１は、第１読取ユニット３０１の一体型光学走査ユニット３１１と略同様に構成されており、主走査方向に延びる裏面側走査領域４０１ｓ（図５参照）を有している。そして、第２読取ユニット４０１は、副走査方向に搬送されることで裏面側走査領域４０１ｓを通過しつつ上側ＤＦコンタクトガラス４０７に対面する搬送原稿の裏面側の画像を読み取ることができるようになっている。
【００８１】
また、ガイド面部２０８および左スケール２０７の近傍のスキャナカバー部２０１の一部である上端支持部２０９（図６参照）には、ＤＦコンタクトガラス２０４の上端部２０４ｂと共に裏面側白基準板２１３（裏面側白基準部材）が保持されている。
【００８２】
この裏面側白基準板２１３は、主走査方向に延びる裏面側白基準面２１３ａが形成された帯状のもので、ＤＦコンタクトガラス２０４の上端部２０４ｂの背面側（原稿案内面と反対面側）に貼り付けられており、第２読取ユニット４０１による裏面側白基面２１３ａの読取りが可能な姿勢および範囲内に配置されている。この裏面側白基準板２１３は、スキャナカバー部２０１の一部としてＤＦコンタクトガラス２０４の上端部２０４ｂを支持する上端支持部２０９に、両面テープ等の粘着材で接着されており、裏面側白基面２１３ａはＤＦコンタクトガラス２０４の上端部２０４ｂの背面に密着している。
【００８３】
画像形成装置本体１０１内のコントローラ１１０は、第２読取ユニット４０１による裏面側白基準面２１３ａの読取り画像データ（読取り値）に基づき、第２読取ユニット４０１の読取データに対して、例えば光源ムラやセンサ感度ムラ等の出力バラツキを補正するシェーディング補正等の補正処理を実行し、第２読取ユニット４０１による読取出力画像やそれに基づく記録画像出力を環境や時間の変化にかかわらず一定の濃度にできるようになっている。すなわち、コントローラ１１０は、第１読取ユニット３０１による白基準面２１１ａの読取り値に基づいて第１の原稿の読取画像を補正する機能だけでなく、第２読取ユニット４０１による裏面側白基準面２１３ａの読取り値に基づいて第２の原稿の裏面側の読取画像を補正する画像補正手段の機能を併有している。
【００８４】
また、白基準板２１１と裏面側白基準板２１３とは、副走査方向の特定区間Ｚ３内で、傾斜角θだけ互いに傾斜した状態で互いにわずかに離間しながら、鉛直方向の上下に位置している。
【００８５】
次に、デジタル複合機１００の動作について説明する。
【００８６】
デジタル複合機１００の停止時には、第１読取ユニット３０１は、例えば図６に示すホームポジションに停止している。
【００８７】
フラットベットスキャナ動作を行う場合、フラットベッドコンタクトガラス２０３上の原稿の読取り開始を指示するスイッチ操作入力がなされると、移動機構３２０のモータが回転し、第１読取ユニット３０１がホームポジションから原稿読取動作方向に移動する。そして、その微小移動距離毎に一体型光学走査ユニット３１１によるライン走査を実行して、フラットベッドコンタクトガラス２０３上の載置原稿の表面の画像を読み取るフラットベッドスキャナ動作を実行する。また、そのフラットベッドスキャナ動作が終了すると、第１読取ユニット３０１は再度ホームポジションに戻る。
【００８８】
ＤＦスキャナ動作を行う場合、ＤＦスキャナ動作の開始を指示する操作入力がなされると、移動機構３２０により駆動されることで、第１読取ユニット３０１は、ホームポジションからＤＦコンタクトガラス２０４の下方に移動して、ＤＦコンタクトガラス２０４の下方で第２読取姿勢で停止する。そして、第１読取ユニット３０１は、原稿搬送路Ｐｆを通過する原稿の搬送状態に応じて、ＤＦコンタクトガラス２０４上を通過する搬送原稿の表面の画像を読み取る。
【００８９】
また、ＤＦスキャナ動作により原稿のいわゆる１パス両面同時読取りを行う場合には、その開始を指示する操作入力がなされると、第１読取ユニット３０１がＤＦコンタクトガラス２０４の下方で第２読取姿勢で停止し、原稿搬送路Ｐｆを通過する原稿の搬送状態に応じて、ＤＦコンタクトガラス２０４上を通過する搬送原稿の表面の画像を走査する。併せて、原稿搬送路Ｐｆを通過する原稿の搬送状態に応じて、第２読取ユニット４０１により、裏面側走査領域４０１ｓを通過しつつ上側ＤＦコンタクトガラス４０７に対面する搬送原稿の裏面側の画像が読み取られる。
【００９０】
一方、フラットベットスキャナ動作やＤＦスキャナ動作を行う場合、そのような画像読取りに先立って、画像形成装置本体１０１内のコントローラ１１０により、第１読取ユニット３０１による白基準面２１１ａの読取り画像データに基づき、第１読取ユニット３０１の読取データに対して、光源ムラやセンサ感度ムラ等の出力バラツキが補正される。さらに、第２読取ユニット４０１による裏面側白基準面２１３ａの読取り画像データに基づき、第２読取ユニット４０１の読取データに対して、光源ムラやセンサ感度ムラ等の出力バラツキが補正される。
【００９１】
次に、本実施形態の作用について説明する。
【００９２】
本実施形態のデジタル複合機１００においては、第１読取ユニット３０１が第１移動領域Ｚ１と第２移動領域Ｚ２とに移動可能であるとともに、第１読取姿勢と第２読取姿勢とに姿勢変化可能であり、白基準板２１１は、第１読取ユニット３０１の第１移動領域Ｚ１と第２移動領域Ｚ２の間の特定区間Ｚ３内であって、ＤＦコンタクトガラス２０４に対し第１読取ユニット３０１側に配置されている。これにより、密着型イメージセンサ等を用いるコンパクトな第１読取ユニット３０１を採用する場合であっても、共通の白基準面２１１ａを用いながら、表面側の画像を読み取るフラットベッドスキャナ動作とＤＦスキャナ動作とを、第１読取ユニット３０１によって共に実行することができる。
【００９３】
したがって、フラットベッドスキャナ動作時とＤＦスキャナ動作時とで同等な画質の読取画像を得ることができるとともに、画像読取装置部１０２をコンパクト化できることになる。しかも、第１読取ユニット３０１の第１移動領域Ｚ１と第２移動領域Ｚ２を近接させることが可能となるので、画像読取装置部１０２の副走査方向の幅を十分に短縮することができ、画像読取装置部１０２のコンパクト化による省スペース性向上を図ることができる。
【００９４】
ちなみに、図８に示す比較例のように、搬送ローラ４０４とフラットベッドコンタクトガラス２０３とが干渉しないように、ＤＦコンタクトガラス５０４とフラットベッドコンタクトガラス２０３とを相対的に傾斜させる装置構成において、白基準板６１１が、フラットベッドコンタクトガラス５０３に沿って平行移動するだけで姿勢変化せず、読取ユニット５０１のホームポジション付近に配置される場合には、副走査方向においてＤＦコンタクトガラス５０４の取り付け斜面が終わってから、一定間隔を隔ててフラットベッドコンタクトガラス５０３がレイアウトされることになる。そのため、このような構成では、ＤＦコンタクトガラス５０４の端部よりさらに第１移動領域Ｚ１側に白基準板２１１を離して配置する必要があり、上述の一実施形態に対して、左スケール６０７が同図中の右側に大きく移動したものとなる。あるいは、読取ユニット５０１とは別に、第２読取ユニット４０１を反転したような表面読取り用の読取ユニットを設ける必要がある。よって、同図中の表裏面読取ユニット間の副走査方向の距離Ｃ´が、図６に示す本実施形態の第１、第２読取ユニット間の副走査方向の距離Ｃに比べると、顕著に大きくなってしまう。
【００９５】
本実施形態では、また、第２の原稿を原稿搬送路Ｐｆに沿って案内するＤＦコンタクトガラス２０４が、特定区間Ｚ３内でフラットベッドコンタクトガラス２０３の上面２０３ａより鉛直方向上方側に位置する上端部２０４ｂを有し、白基準板２１１の白基準面２１１ａが、その上端部２０４ｂより鉛直方向下方側に配置されている。したがって、フラットベッドコンタクトガラス２０３を通した原稿読取条件と白基準面２１１ａの読取条件とを一致させるように白基準面２１１ａを配置することができ、より正確なシェーディング補正等が可能となる。
【００９６】
しかも、ＤＦスキャナ動作のための白基準板２１１の読取り時にフラットベットスキャナ動作時と同様な条件での読取りが可能となることから、良好な画像補正が可能となる。
【００９７】
さらに、本実施形態では、フラットベッドコンタクトガラス２０３が特定区間Ｚ３側に延長された延長端部２０３ｂを有するとともに、ＤＦコンタクトガラス２０４が特定区間Ｚ３側に延長された上端部２０４ｂを有しており、白基準板２１１が、その特定区間Ｚ３内で延長端部２０３ｂおよび上端部２０４ｂの間に配置されている。したがって、第１移動領域Ｚ１と第２移動領域Ｚ２を十分に近接させつつ白基準板２１１を配置でき、デジタル複合機１００の読取ユニット１０２の横幅（副走査方向の幅）を十分に縮小させることができる。また、白基準板２１１の読取り時に第１読取ユニット３０１がフラットベッドコンタクトガラス２０３側で案内可能となり、より良好な補正が可能となる。
【００９８】
加えて、白基準板２１１の白基準面２１１ａは、フラットベッドコンタクトガラス２０３の延長端部２０３ｂの上面２０３ａ側の面上に配置されているので、第１読取ユニット３０１による原稿読取条件と白基準板２１１の読取条件とを確実に同条件にでき、より良好な補正ができる。
【００９９】
さらにまた、本実施形態では、ＤＦコンタクトガラス２０４の上端部２０４ｂ側に裏面側白基準板２１３を有し、第２読取ユニット４０１による裏面側白基準面２１３ａの読取り値に基づいて第２の原稿の裏面側の読取画像を補正するので、第２読取ユニット４０１の読取画像に対しても良好なシェーディング補正等が可能となる。また、２つの白基準板２１１，２１３を上下にオーバーラップさせることで、画像読取装置部１０２の横幅の縮小によるデジタル複合機１００のコンパクト化が可能になる。
【０１００】
また、本実施形態では、移動機構３２０が、第１移動領域Ｚ１内では第１読取ユニット３０１をフラットベッドコンタクトガラス２０３の上面２０３ａに対して平行に移動させ、第２移動領域Ｚ２内では第１読取ユニット３０１をＤＦコンタクトガラス２０４の上面２０４ａに対して平行に移動させ、さらに、副走査方向の特定区間Ｚ３内では、第１読取ユニット３０１の姿勢を第１読取姿勢と第２読取姿勢との間で変化させる。したがって、特定区間Ｚ３内での白基準面２１１ａの読取りを第１読取姿勢または第２読取姿勢（任意の片方の姿勢）での画像読取り時と同条件にすることが容易になる。
【０１０１】
特に、移動機構３２０が、第１読取ユニット３０１に装着された一対の上部スライダ部３１５と、両上部スライダ部３１５を上面２０３ａ，２０４ａのそれぞれに対して平行に移動するよう案内するフラットベッドコンタクトガラス２０３およびＤＦコンタクトガラス２０４と、特定区間Ｚ３内で第１読取ユニット３０１の姿勢を変化させるようＤＦコンタクトガラス２０４およびガイド面部２０８の間に設けられた延長端部２０３ｂおよびガイド面部２０８とを含んで構成されている。したがって、移動機構３２０を簡素に構成できるとともに、移動体となるスライダ付きの第１読取ユニット３０１を軽量にできる。
【０１０２】
また、第１読取ユニット３０１の上部スライダ部３１５がＤＦコンタクトガラス２０４の下面とフラットベッドコンタクトガラス２０３の延長端部２０３ｂの下面とで案内されつつ副走査方向に移動するとき、第１読取ユニット３０１の姿勢が変化するので、移動機構３２０をより簡素に構成できるとともに、第１読取ユニット３０１の第１移動領域Ｚ１と第２移動領域Ｚ２をより近接させることができ、画像読取装置部１０２の横幅短縮によるデジタル複合機１００のコンパクト化が可能となる。
【０１０３】
このように、本実施形態においては、第１読取ユニット３０１を移動および姿勢変化させることで、相対的に傾斜するフラットベッドコンタクトガラス２０３およびＤＦコンタクトガラス２０４と共通の白基準面２１１ａとを用いながら、第１読取ユニット３０１によるフラットベッドスキャナ動作およびＤＦスキャナ動作を実行するので、フラットベッドスキャナ動作時とＤＦスキャナ動作時とで同等な画質の読取画像を得ることができるコンパクトな画像読取装置部１０２を提供でき、それを用いたコンパクトなデジタル複合機１００を提供することができる。しかも、第１読取ユニット３０１の第１移動領域Ｚ１と第２移動領域Ｚ２を近接させることで、画像読取装置部１０２やそれを用いたデジタル複合機１００の走査方向の幅を十分に短縮することができ、その装置の省スペース性を向上させることができる。
【０１０４】
なお、上述の一実施形態においては、第１の原稿とフラットベッドコンタクトガラス２０３の上面２０３ａとの対面とは、平坦なフラットベッドコンタクトガラス２０３の上面２０３ａ上に載置された原稿がその自重によってフラットベッドコンタクトガラス２０３と上下に対面することであったが、これに限らず、本発明においては、他の何らかの支持力や押圧力等の力の作用によって原稿が水平面以外の任意の方向に広がるフラットベッドコンタクトガラス２０３の上面２０３ａ上にセットされた状態で、両者が対面するようにしてもよい。
【０１０５】
また、第１読取ユニット３０１や第２読取ユニット４０１は、密着型イメージセンサを保持するものや、レンズ、ＣＣＤ（電荷結合素子）およびミラーを保持したものでなく、他の固体撮像素子等を用いる一体型光学走査ユニットとして構成されてもよい。
【０１０６】
さらに、本発明にいう画像読取装置は、原稿搬送を主機能または重要機能とする自動原稿搬送装置であってもよく、画像読取機能と原稿搬送機能を併有する自動原稿搬送読取装置であってもよい。また、原稿の搬送方向や給排紙トレイの配置等は、任意であり、上述の一実施形態とは原稿搬送方向や給排紙トレイの配置が逆になってもよい。
【０１０７】
以上説明したように、本発明は、読取ユニットを副走査方向に移動させるとともにその読取り時の姿勢を変化させることで、相対的に傾斜したフラットベッドコンタクトガラスおよびＤＦコンタクトガラスと共通の白基準面とを用いながら、その読取ユニットによるフラットベッドスキャナモードおよびＤＦスキャナモードでの画像読取りを行う。したがって、フラットベッドスキャナモード時とＤＦスキャナモード時とで同等な画質の読取画像を得ることができるコンパクトな画像読取装置を提供することができ、それを用いたコンパクトな画像形成装置を提供できるという効果を奏する。しかも、読取ユニットのフラットベッド走査時の第１移動領域とＤＦ走査時の第２移動領域とを近接させることで、画像読取装置やそれを用いた画像形成装置の走査方向の幅を十分に短縮することができ、その装置の省スペース性を向上させることができる。このような本発明は、ＤＦスキャナモードとフラットベッドスキャナモードとに切替え可能な原稿読取装置とそれを備えた画像形成装置全般に有用である。
【符号の説明】
【０１０８】
１００  デジタル複合機（画像形成装置）
１０１  画像形成装置本体
１０２  画像読取装置部（スキャナユニット）
１０３  原稿搬送装置部（ドキュメントフィーダユニット）
１１０  コントローラ（補正手段）
２０１  スキャナカバー部
２０３  フラットベッドコンタクトガラス（第１透明部材、第１ガイド部、搬送原稿読取用のコンタクトガラス、フラットベッドスキャナモード用のコンタクトガラス）
２０３ａ  上面（第１読取面）
２０３ｂ  延長端部（第１延長部）
２０４  ＤＦコンタクトガラス（第２透明部材、案内板、第２ガイド部、載置原稿読取用のコンタクトガラス、ＤＦスキャナモード用のコンタクトガラス）
２０４ａ  上面（第２読取面）
２０４ｂ  上端部（第２延長部、案内板の上端部）
２０５  傾斜ガイド面
２０７  左スケール
２０８  ガイド面部
２０９  上端支持部
２１１  白基準板（白基準部材、補正手段）
２１１ａ  白基準面
２１３  裏面側白基準板（裏面側白基準部材、補正手段）
２１３ａ  裏面側白基準面
３０１  第１読取ユニット（読取ユニット）
３０２  ガイドロッド
３１１  一体型光学走査ユニット
３１１ｓ  走査領域
３１２  ブラケット
３１５  上部スライダ部
３２０  移動機構
３２５  第３ガイド部
４０１  第２読取ユニット
４０６  搬送ガイド板
４０８  原稿搬送機構
Ｚ１  第１移動領域
Ｚ２  第２移動領域
Ｚ３  特定区間
θ  傾斜角
【先行技術文献】
【特許文献】
【０１０９】
【特許文献１】特開２０１２−２３４５２号公報
【図１】
2014023133.tif 000003
【図２】
2014023133.tif 000004
【図３】
2014023133.tif 000005
【図４】
2014023133.tif 000006
【図５】
2014023133.tif 000007
【図６】
2014023133.tif 000008
【図７】
2014023133.tif 000009
【図８】
2014023133.tif 000010